(57)【要約】      （修正有）【課題】余分な熱源を必要とせず、低コストで、荷捌き室や冷蔵庫の天井上方に形成された天井空間で結露水の発生をなくし、環境の悪化を防止する。【解決手段】空調装置２０の調整室２２に外気ＯＡを導入し、デシカントロータ２８で除湿した後、冷却器３０で冷却した低温低湿空気を荷捌き室に供給する。デシカントロータの出口で吸着熱で昇温した高温低湿の被処理空気ＳＡの一部を第２被処理空気供給路３４から天井空間に供給する。また、該高温低湿の被処理空気ＳＡに荷捌き室に供給する低温低湿空気の一部を混合して常温とし、この混合空気を常温庫に供給する。【選択図】図１
2014115022.tif 000002
【特許請求の範囲】
【請求項１】
被処理空気に含まれる水蒸気をデシカントロータに吸着させ、吸着時に吸着熱により昇温した被処理空気を冷却した後、冷却室に供給する第１空調工程と、
前記冷却室から排出された室内空気を加熱し、この加熱空気で前記デシカントロータに吸着された水蒸気を放出させる再生工程とからなる冷却室の空調方法において、
前記第１空調工程において、前記デシカントロータで除湿された後の常温より高温の被処理空気を前記冷却室の上方に形成された天井空間に供給する第２空調工程と、
前記常温より高温の被処理空気に、前記第１空調工程で前記冷却室に供給される被処理空気の一部を混合して常温の被処理空気とし、該常温の被処理空気を常温室に供給する第３空調工程とからなることを特徴とする冷却室の空調方法。
【請求項２】
前記再生工程において、
前記冷却室に供給される被処理空気量に対して、該冷却室から排出される排出空気量を少なくして、該冷却室内を正圧に保持する第１ステップと、
前記被処理空気量と前記排出空気量との差分だけ排出空気に外気を補充する第２ステップとを行うことを特徴とする請求項１に記載の冷却室の空調方法。
【請求項３】
被処理空気に含まれる水蒸気を吸着するデシカントロータと、
該デシカントロータで除湿された被処理空気を冷却する冷却器と、
該冷却器から冷却室に被処理空気を送る第１被処理空気供給路と、
前記冷却室から排出された室内空気を加熱する加熱器と、
前記冷却室から排出された室内空気を前記加熱器に送る室内空気供給路とを備え、
前記加熱器で加熱された再生用空気で前記デシカントロータに吸着された水蒸気を放出させるようにした冷却室の空調装置において、
前記デシカントロータで除湿された後の常温より高温の被処理空気を前記冷却室の上方に形成された天井空間に送る第２被処理空気供給路と、
前記デシカントロータで除湿された後の常温より高温の被処理空気を常温室に送る第３被処理空気供給路と、
前記第１被処理空気供給路から分岐し、前記第３被処理空気供給路に接続された被処理空気分岐路とを備えていることを特徴とする冷却室の空調装置。
【請求項４】
前記第１被処理空気供給路に設けられた第１流量調整機構と、
前記被処理空気分岐路に設けられた第２流量調整機構と、
前記被処理空気分岐路との分岐部より下流側の前記第３被処理空気供給路に設けられた温度センサと、
前記温度センサの検出値が常温域となるように前記第１流量調整機構及び前記第２流量調整機構の開度を制御する第１制御部とをさらに備えていることを特徴とする請求項３に記載の冷却室の空調装置。
【請求項５】
前記室内空気供給路に設けられた第３流量調整機構と、
前記室内空気供給路に接続された外気供給路と、
該外気供給路に設けられた外気導入機構と、
前記第３流量調整機構及び前記外気導入機構を制御し、前記冷却室に供給される被処理空気量に対して、該冷却室から前記室内空気供給路に排出される室内空気量を少なくして、該冷却室内を正圧に保持すると共に、前記被処理空気量と前記室内空気量との差分だけ前記室内空気供給路に外気を補充する第２制御部とをさらに備えていることを特徴とする請求項３又は４に記載の冷却室の空調装置。
【請求項６】
冷媒循環路と、該冷媒循環路に設けられた圧縮機、凝縮器、膨張機構及び蒸発器とを有し、ヒートポンプサイクルを構成するヒートポンプを備え、該ヒートポンプの蒸発器が前記冷却器であり、該ヒートポンプの凝縮器が前記加熱器であることを特徴とする請求項３に記載の冷却室の空調装置。
【発明の詳細な説明】
【技術分野】
【０００１】
本発明は、例えば、冷凍庫に隣接された荷捌き室や常温作業室の空調等に好適な空調方法及び空調装置に関する。
【背景技術】
【０００２】
冷蔵庫には、冷却温度帯が−２０℃〜１０℃のＣ級冷蔵庫や、冷却温度帯が−２０℃以下のＦ級冷蔵庫等ある。一般の冷蔵倉庫には、これらの冷蔵庫のほか、通常、保冷品を冷蔵庫に出し入れする際に作業を行う荷捌き室や、保冷を必要としない品物や保冷品を梱包する段ボール等、冷蔵倉庫で使用する備品を保管している常温庫が併設されている。荷捌き室は、通常冷蔵庫に隣接され、冷蔵庫の冷熱を逃がさず、かつ作業に支障をきたさない０〜１０℃の温度に保温されている。
【０００３】
本発明者等は、先に、荷捌き室等の冷却室の空調に適した空調手段を提案している（特許文献１）。この空調手段は、デシカントロータとヒートポンプ装置とを組み合わせたものである。即ち、外気に含まれる水蒸気をデシカントロータで吸着し、こうして除湿した外気をヒートポンプ装置を構成するエアクーラで冷却した後、荷捌き室に供給すると共に、荷捌き室から排出される室内空気をヒートポンプ装置を構成するガスクーラで加熱し、この加熱空気でデシカントロータに吸着された水蒸気を放出するようにしている。
【先行技術文献】
【特許文献】
【０００４】
【特許文献１】特許第４８７０８４３号公報
【発明の概要】
【発明が解決しようとする課題】
【０００５】
冷蔵倉庫においては、冷蔵庫や荷捌き室の上方に形成される天井裏の空間に、特に、梅雨時期から晩夏時期の湿度の高い時期に、大量の結露が発生し、結露水による環境の悪化が問題となっている。例えば、天井空間で発生した結露水が降下して荷捌き室の床面を濡らし、保冷品の出し入れ時に、フォークリフトのスリップ事故等が発生するおそれがある。また、高湿度の状態の常温庫に保管してある段ボール等の備品をそのままの状態で用い、荷捌き室に一時保管する品物を梱包した場合、段ボール等が濡れ、段ボールの強度を低下させる場合もある。さらに、場合によっては、天井空間に溜まった大量の結露水の重みで天井が落下するおそれもないとは言えない。
【０００６】
本発明は、かかる従来技術の課題に鑑み、余分な熱源を必要とせず、低コストで、荷捌き室や冷蔵庫の天井上方に形成された天井空間で結露水の発生をなくし、前記問題を解消することを目的とする。
【課題を解決するための手段】
【０００７】
本発明の冷却室の空調方法は、被処理空気に含まれる水蒸気をデシカントロータに吸着させ、吸着時に吸着熱により昇温した被処理空気を冷却した後、冷却室に供給する第１空調工程と、冷却室から排出された空気を加熱し、この加熱空気でデシカントロータに吸着された水蒸気を放出させる再生工程とからなる冷却室の空調方法を行うことを前提としている。本発明方法は、前記目的を達成するため、第１空調工程において、デシカントロータで除湿された後の常温より高温の被処理空気を冷却室の上方に形成された天井空間に供給する第２空調工程と、デシカントロータで除湿された常温より高温の被処理空気に、第１空調工程で冷却室に供給される被処理空気の一部を混合して常温の被処理空気とし、該常温の被処理空気を常温室に供給する第３空調工程とからなるものである。
【０００８】
これにより、天井空間には、デシカントロータで除湿された後の、相対湿度が低く常温より高温の被処理空気が供給される。そのため、天井空間は、相対湿度が低い状態に保持されるので、結露の発生を防止できる。また、常温室にも、デシカントロータで除湿され、相対湿度が低い被処理空気が供給されるので、結露の発生を防止でき、前記問題を解消できる。このように、本発明は、デシカントロータで除湿された被処理空気の一部を用いて、天井空間や常温室の結露の発生を防止できるので、余分な熱源を必要とせず、ランニングコストを節減できる。
【０００９】
また、前記再生工程において、冷却室に供給される被処理空気量に対して、冷却室から排出される室内空気量を少なくすることで、冷却室内を正圧（例えば、大気圧より若干高い圧力）に保持する第１ステップと、被処理空気量と室内空気量との差分だけ室内空気に外気を補充する第２ステップとを行うとよい。このように、冷却室内を正圧に保持することで、湿度が高い外気が冷却室に侵入するのを防止できると共に、再生用空気の不足分を外気で補うことで、再生用空気を確保できる。
【００１０】
前記本発明方法の実施に直接使用可能な本発明の冷却室の空調装置は、被処理空気に含まれる水蒸気を吸着するデシカントロータと、デシカントロータで除湿された被処理空気を冷却する冷却器と、冷却器から冷却室に被処理空気を送る第１被処理空気供給路と、冷却室から排出された排出空気を加熱する加熱器と、冷却室から空気を排出し加熱器に送る再生空気供給路とを備え、加熱器で加熱された再生用空気でデシカントロータに吸着された水蒸気を放出させるようにした空調装置であることを前提とする。これによって、冷却室に低湿度の低温空気を供給でき、冷却室を所望の温度に保持できると共に、冷却室の結露を防止できる。
【００１１】
本発明装置は、前記目的を達成するため、デシカントロータで除湿され、相対湿度が低く、常温より高温の被処理空気を冷却室の上方に形成された天井空間に送る第２被処理空気供給路を備えている。第２被処理空気供給路から低湿度の被処理空気を天井空間に送ることで、天井空間を低湿度雰囲気に保持でき、天井空間の結露を防止できる。
【００１２】
さらに、本発明装置は、デシカントロータで除湿された後の常温より高温の被処理空気を常温室に送る第３被処理空気供給路と、第１被処理空気供給路から分岐し、第３被処理空気供給路に接続された被処理空気分岐路とを備えている。こうして、被処理空気分岐路から第３被処理空気供給路に供給する低温の被処理空気の流量を調整することで、相対湿度が低くかつ常温に調整された被処理空気を常温室に供給できる。そのため、常温室での結露を防止できると共に、常温室を所望の常温域に保持できる。また、低湿度の被処理空気の調整のために、余分な熱源を必要とせず、ランニングコストを節減できる。
【００１３】
図１は、本発明装置の基本構成図を示している。図１において、本発明装置の空調対象として、室内を０〜１０℃に保持すべき冷却室１０（例えば、荷捌き室）と、冷却室１０の天井裏に設けられた天井空間１２と、室内を常温域（２５〜３５℃）に保持すべき常温室１４とがある。調整室２２と再生室２４とが隔壁を介して隣接して配置され、調整室２２及び再生室２４に跨ってデシカントロータ２８が設けられている。調整室２２において、吸引ファン等の外気導入装置２６で外気ＯＡを調整室２２に導入する。調整室２２内に導入された外気ＯＡは、まずデシカントロータ２８で除湿される。外気ＯＡに含まれる水蒸気がデシカントロータ２８に吸着されるとき反応熱が放出され、この反応熱で、被処理空気ＳＡは、デシカントロータ２８の出口で常温より高温となる。
【００１４】
常温より高温になった低湿度の被処理空気ＳＡは、冷却器３０で冷却された後、第１被処理空気供給路３２を通って冷却室１０に供給される。こうして、冷却室１０に低湿度の低温空気を供給でき、冷却室１０を所望の温度に保持できると共に、冷却室１０の結露を防止できる。また、デシカントロータ２８の下流側で、低湿度の被処理空気ＳＡの一部は、第２被処理空気供給路３４及び第３被処理空気供給路３６に分岐される。第２被処理空気供給路３４に分岐された被処理空気ＳＡは、天井空間１２に供給される。
【００１５】
第３被処理空気供給路３６に分岐された被処理空気ＳＡは、温度が常温に調整された後、常温室１４に供給される。この温度調整手段として、第１被処理空気供給路３２から被処理空気分岐路３８が分岐し、被処理空気分岐路３８は第３被処理空気供給路３６に接続されている。第３被処理空気供給路３６を流れる被処理空気ＳＡに、被処理空気分岐路３８を介して、第１被処理空気供給路３２を流れる低温の被処理空気ＳＡを混合する。こうして、第３被処理空気供給路３６を流れる被処理空気ＳＡの温度を常温域（２５〜３５℃）に調整した後、常温室１４に供給する。
【００１６】
こうして、常温より高温で相対湿度が小さい被処理空気ＳＡを天井空間１２に供給することで、天井空間１２の結露を防止できる。また、常温室１４に、常温で相対湿度が小さい被処理空気ＳＡを供給することで、常温室１４の結露を防止し、かつ常温室１４を常温に保持できる。冷却室１０と再生室２４とは室内空気供給路４０で接続されている。再生室２４内に設けられた吸引ファン等の吸引装置４６によって、冷却室１０内で相対湿度が高くなった室内空気ＲＡは、室内空気供給路４０に排出され、室内空気供給路４０を介して再生室２４に送られる。常温室１４内の空気も、戻り路４２及び室内空気供給路４０を介して再生室２４に送られる。
【００１７】
再生室２４に送られた室内空気ＲＡは、加熱器４４で加熱される。加熱された空気は、再生用空気ＤＡとしてデシカントロータ２８に送られ、その保有熱でデシカントロータ２８に吸着されている水蒸気を放出させる。なお、再生用空気ＤＡが不足したときは、必要に応じ、室内空気供給路４０から外気を導入する。以上の構成により、天井空間１２及び常温室１４で結露の発生を防止でき、前記の問題を解消できる。また、低湿度の被処理空気の調整のために、余分な熱源を必要とせず、ランニングコストを節減できる。
【００１８】
本発明装置において、第１被処理空気供給路に設けられた第１流量調整機構と、被処理空気分岐路に設けられた第２流量調整機構と、被処理空気分岐路との分岐部より下流側の第３被処理空気供給路に設けられた温度センサと、温度センサの検出値が常温域となるように第１流量調整機構及び第２流量調整機構の開度を制御する第１制御部とをさらに備えているとよい。これによって、常温室に供給する被処理空気を正確に所望の温度に調整できる。
【００１９】
本発明装置において、室内空気供給路に設けられた第３流量調整機構と、室内空気供給路に接続された外気供給路と、外気供給路に設けられた外気導入機構と、第３流量調整機構及び外気導入機構を制御し、冷却室に供給される被処理空気量に対して、冷却室から室内空気供給路に排出される室内空気量を少なくして、冷却室内を正圧に保持すると共に、被処理空気量と室内空気量との差分だけ室内空気供給路に外気を補充する第２制御部とをさらに備えているとよい。これによって、冷却室内を正圧（例えば、大気圧より若干高い圧力）に保持することで、高湿度の外気が冷却室に侵入するのを防止できる。また、これによって不足する再生用空気量を外気で補うことができる。
【００２０】
本発明装置において、冷媒循環路と、該冷媒循環路に設けられた圧縮機、凝縮器、膨張機構及び蒸発器とを有し、ヒートポンプサイクルを構成するヒートポンプを備え、ヒートポンプの蒸発器が、デシカントロータで除湿された後の被処理空気を冷却する冷却器であり、ヒートポンプの凝縮器が、冷却室から排出された空気を加熱する加熱器であるとよい。これによって、本発明装置で必要な冷熱源及び熱源をすべてヒートポンプで供給できるので、チラーや電気ヒータなど、別な冷却装置や加熱装置を用いる場合に比べて、大幅な省エネを達成できる。
【発明の効果】
【００２１】
本発明によれば、冷蔵庫、冷蔵庫に併設された荷捌き室等の冷却室の天井空間、及び常温室の結露を余分な熱源を必要とぜず、低コストな手段で防止できる。
【図面の簡単な説明】
【００２２】
【図１】本発明の基本構成を示すブロック線図である。
【図２】本発明の一実施形態に係る冷蔵倉庫１階の平面視断面図である。
【図３】前記冷蔵倉庫の２階の平面視断面図である。
【図４】前記実施形態に係る空調装置の系統図である。
【発明を実施するための形態】
【００２３】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２４】
本発明の一実施形態を図２〜図４に基づいて説明する。図２及び図３は、冷蔵倉庫５０の平面視断面図である。図２は冷蔵倉庫５０の１階部分を示し、図３は冷蔵倉庫５０の２階部分を示す。図１及び図２において、冷蔵庫５２ａ及び５２ｂはＦ級冷蔵庫であり、庫内は−２５℃に保冷されている。冷蔵庫５２ａ及び５２ｂに隣接して荷捌き室５４ａ及び５４ｂが設けられている。荷捌き室５４ａ及び５４ｂで、冷蔵庫５２ａ、５２ｂからの保冷品の出し入れ、及び荷造り・荷解き作業を行う。荷捌き室５４ａ、５４ｂは０〜１０℃、例えば＋５℃の温度に保持されている。
【００２５】
冷蔵庫５２ａ、５２ｂ及び荷捌き室５４ａ、５４ｂに隣接して、常温庫５６ａ及び５６ｂが設けられている。常温庫５６ａ、５６ｂは、常温（２５〜３５℃）に保持され、段ボールなど、保冷品の荷造り及び搬送に必要な備品、及び冷蔵庫５２ａ、５２ｂの備品等が保管されている。冷蔵庫５２ａ、５２ｂ、荷捌き室５４ａ、５４ｂ及び常温庫５６ａ、５６ｂの隔壁は断熱材で構成され、熱の出入りを遮断している。
【００２６】
１階の荷捌き室５４ａ及び常温庫５６ａには、搬出入戸口（ドック）が設けられ、輸送トラックＴの荷台の後部が該搬出入戸口に接近し、保冷品の搬出入が行われる。該搬出入戸口には、搬出入戸口を覆うドックシェルタ５８が設けられ、保冷品の搬出入時に、外気、雨風、湿気、塵、害虫等が冷蔵倉庫内に侵入するのを防止している（図４参照）。冷蔵庫５２ａ、５２ｂと荷捌き室５４ａ、５４ｂとを仕切る隔壁には、防熱扉６０が設けられている。また、１階の荷捌き室５４ａと２階の荷捌き室５４ｂとの間、及び１階の常温庫５６ａと２階の常温庫５６ｂとの間で、保冷品や荷物を昇降させるパレットリフタ６２が設けられている。
【００２７】
次に、図４により、本実施形態に係る空調装置７０の構成を説明する。図４において、冷蔵倉庫５０の１階と２階の間及び２階の上方に、天井空間６４ａ及び６４ｂが設けられている。天井空間６４ａ、６４ｂの内部に、冷蔵倉庫５０の骨組み６６を収容すると共に、天井空間６４ａ、６４ｂによって、冷蔵倉庫５０の１階及び２階の間、及び２階と屋根との間に、断熱空間を形成する。本実施形態は、常温庫５６ａ、５６ｂ及び天井空間６４ａ、６４ｂにおける結露の発生を防止することを目的とする。
【００２８】
空調装置７０は、調整室７２と再生室７４とが、隔壁７６を介して並設されている。調整室７２には吸引ファン８０が設けられ、再生室７４には吸引ファン１１６が設けられている。吸引ファン８０及び１１６によって、調整室７２と再生室７４には、互いに逆向きの空気流が形成されている。調整室７２に、吸引ファン７８によって、予めプレクーラ７８で予冷された外気ＯＡが取り込まれる。プレクーラ７８による予冷の目的は、後述するデシカントロータ８２の出口側で被処理空気ＳＡの温度が上昇しすぎないようにするためであり、あるいはプレクーラ７８で外気ＯＡを露点以下の温度に冷却して除湿するためにである。プレクーラ７８は必ずしも必要ではなく、設けない場合もある。
【００２９】
デシカントロータ８２は、調整室７２と再生室７４とに跨って配置され、回転軸８２ａを中心に図示しない駆動装置により回転する。デシカントロータ８２は吸着剤を担持しており、調整室７２では、デシカントロータ８２で被処理空気ＳＡに含まれる水蒸気を吸着して除去する。デシカントロータ８２の水蒸気を吸着した領域は、再生室７４に移動し、再生室７４では、吸着した水蒸気を再生用空気ＤＡの保有熱により、再生用空気ＤＡに放出する。デシカントロータ８２は、吸着剤を含浸した特殊シートでハニカム状に製作されており、図示しない駆動モータで１時間に数十回転という低速で回転し、連続的に吸着と再生とを繰り返している。吸着剤は、例えば、シリカゲルやゼオライト等の無機系吸着剤や、高分子吸着剤が用いられる。
【００３０】
吸着剤は、水蒸気を吸着するとき、吸着熱を放出するため、デシカントロータ８２を通過した後の被処理空気ＳＡは通過前より昇温する。こうして、常温より高い温度、例えば４０℃前後に昇温した被処理空気ＳＡは、エアクーラ８４で荷捌き室５４ａ、５４ｂの保冷温度まで冷却される。そして、低温低湿度の空気となって、供給路８６を介して荷捌き室５４ａ、５４ｂに供給される。
【００３１】
デシカントロータ８２の出口側の調整室７２と天井空間６４ａ及び６４ｂとの間に、供給路８８が接続されている。被処理空気ＳＡの一部は、供給路８８に分岐し、供給路８８を介して天井空間６４ａ、６４ｂに供給される。また、供給路８８から分岐し、常温庫５６ａ及び５６ｂに供給路９０が接続されている。さらに、供給路８８から分岐した分岐路９２が供給路９０に接続されている。分岐路９２が分岐した分岐点より下流側の供給路８８に図示しないモータで駆動されるダンパ９４が設けられ、分岐路９２に図示しないモータで駆動されるダンパ９６が設けられている。分岐路９２の接続部より下流側の供給路９０には温度センサ９８が設けられている。ダンパ９４及び９６の開度は、供給路９０を流れる被処理空気ＳＡの温度が所定の常温域となるように、制御装置１００で制御される。
【００３２】
こうして、天井空間６４ａ及び６４ｂには、供給路８８を介して、４０℃前後で低湿度の被処理空気ＳＡが供給され、常温庫５６ａ及び５６ｂには、常温域の所定温度に調整された低湿度の被処理空気ＳＡが供給される。
【００３３】
荷捌き室５４ａ、５４ｂと再生室７４との間に室内空気供給路１０２が接続され、荷捌き室５４ａ、５４ｂの室内空気は、再生室７４の最下流位置に設けられた吸引ファン１１６によって、室内空気供給路１０２を介して再生室７４に吸引される。また、天井空間６４ａ及び６４ｂと室内空気供給路１０２との間に戻り路１０４が接続され、かつ常温庫５６ａ及び５６ｂと室内空気供給路１０２との間に戻り路１０６が接続されている。そのため、天井空間６４ａ、６４ｂの室内空気、及び常温庫５６ａ、５６ｂの室内空気は、再生用空気ＳＡとして、再生空気供給路１０２を介して再生室７４に送られる。
【００３４】
荷捌き室５４ａ、５４ｂ、天井空間６４ａ、６４ｂ及び常温庫５６ａ、５６ｂから再生室７４に送られた再生用空気ＳＡは、エアヒータ１０８で加熱され、相対湿度が低下する。相対湿度が低下した高温の再生空気ＳＡは、デシカントロータ８２を通過し、その保有熱で、デシカントロータ８２に吸着されている水蒸気を放出させる。この時、デシカントロータ８２に担持された吸着剤は吸熱するため、デシカントロータ８２を通過した後の再生用空気ＳＡは、低温高湿度の空気として外部に放出される。
【００３５】
エアクーラ８４及びエアヒータ１０８は、ヒートポンプ装置１１０の一部を構成する。ヒートポンプ装置１１０は、冷媒循環路１１２に、圧縮機１１４、蒸発器としてのエアクーラ８４、膨張弁１１６、及びエアヒータ１０８からなるヒートポンプサイクル構成機器が設けられている。冷媒として、高圧で超臨界状態となり、エアヒータ１０８で再生用空気ＤＡを８０℃以上の高温に加熱できるＣＯ２を用いるとよい。吸引ファン８０及び１１６、デシカントロータ８２の図示しない駆動装置、及び圧縮機１１４の駆動モータ１１４ａは、制御装置１００によって制御される。
【００３６】
再生空気供給路１０２には、外気供給路１１８が接続され、外気供給路１１８には押込ブロア１２０及び外気供給路１１８の外気流量を制御する、図示しないモータで駆動されるダンパ１２２が設けられている。荷捌き室５４ａ、５４ｂには、気圧センサ１２４ａ及び１２４ｂが設けられている。気圧センサ１２４ａ、１２４ｂの検出値は制御装置１００に入力される。制御装置１００は、供給路８６を通って荷捌き室５４ａ、５４ｂに供給される被処理空気ＳＡの流量が、荷捌き室５４ａ、５４ｂから室内空気供給路１０２を通って排出される室内空気ＲＡの流量より大きくなるように、かつ気圧センサ１２４ａ、１２４ｂの検出値を監視し、該検出値が大気圧より若干高い正圧となるように、吸引ファン８０及び１１６、ダンパ９４、９６及び１２２の開度、及び押込ブロア１２０を制御する。
【００３７】
本実施形態によれば、調整室７２でデシカントロータ８２を通過した高温低湿度の被処理空気ＳＡの一部を用いることで、天井空間６４ａ、６４ｂ及び常温庫５６ａ、５６ｂの結露を効果的に防止できる。しかも、これを余分な熱源を必要とせず、低ランニングコストでこれを達成できる。また、常温庫５６ａ、５６ｂに被処理空気ＳＡを供給する供給路９０に、荷捌き室５４ａ、５４ｂに供給する低温の被処理空気ＳＡの一部を混合するだけで、常温庫５６ａ、５６ｂを所定の常温域に容易に調整できる。
【００３８】
さらに、荷捌き室５４ａ、５４ｂを常に正圧に保持することで、高湿度の外気が荷捌き室５４ａ、５４ｂに侵入するのを防止しているので、荷捌き室５４ａ、５４ｂの内部を低湿度に保持できる。また、再生用空気ＤＡが不足したときは、外気ＯＡで容易に補充できる。さらに、空調装置７０の冷熱源及び熱源として、ヒートポンプ装置１１０を用いているので、冷熱源としてチラー等を用い、熱源として電気ヒータ等を用いた場合と比べて大幅に省エネを達成できる。
【実施例】
【００３９】
以下、湿度が高い８月に行なった実験結果を示す。１日の平均気温が３０℃弱で、１日の平均相対湿度が６０％ＲＨの外気ＯＡを調整室７２に導入したとき、外気ＯＡはプレクーラ７８の出口で２０℃となり、デシカントロータ８２の出口で４０℃弱となった。エアクーラ８４の出口で５℃となり、荷捌き室５４ａ、５４ｂを５℃、７０％ＲＨに保持できた。また、天井空間６４ａ、６４ｂを１５℃、５５％ＲＨに保持できた。常温庫５６ａ（１Ｆ）は、１８℃、５０〜６０％ＲＨを保持でき、常温庫５６ｂ（２Ｆ）は、２５℃、３０％ＲＨを保持できた。なお、常温庫５６ａ（１Ｆ）は、扉を開けると、瞬間的に相対湿度が急激に上昇したが、それでも９０％ＲＨを若干超える程度に留まった。
【００４０】
また、エアヒータ１０８の出口では再生用空気ＤＡは７５℃となり、ヒートポンプ装置１１０のＣＯＰは、エアクーラ８４でＣＯＰ＝３．０であり、エアヒータ１０８でＣＯＰ＝４．０であった。このように、荷捌き室５４ａ、５４ｂ、天井空間６４ａ、６４ｂ及び常温庫５６ａ、５６ｂのいずれでも、結露は発生しなかった。また、冷却器としてチラーを用い、加熱器として電気ヒータを用いた場合より、３〜４倍の省エネを達成できる。
【００４１】
なお、本実施形態では、冷熱源及び熱源として、ヒートポンプ装置１１０を用いているが、本発明では、他の冷熱源や熱源、例えば、チラーや電気ヒータを用いてもよい。
【産業上の利用可能性】
【００４２】
本発明によれば、余分な熱源を必要とせず、低コストで、荷捌き室や冷蔵庫の天井上方に形成された天井空間、及び常温室で結露水の発生を防止できる。
【符号の説明】
【００４３】
１０                                  冷却室
１２、６４ａ、６４ｂ                  天井空間
１４                                  常温室
２０、７０                            空調装置
２２、７２                            調整室
２４、７４                            再生室
２６                                  外気導入装置
２８、８２                            デシカントロータ
３０                                  冷却器
３２                                  第１被処理空気供給路
３４                                  第２被処理空気供給路
３６                                  第３被処理空気供給路
３８                                  被処理空気分岐路
４０、１０２                          室内空気供給路
４２                                  戻り路
４４                                  加熱器
４６                                  吸引装置
５０                                  冷蔵倉庫
５２ａ、５２ｂ                        冷蔵庫
５４ａ、５４ｂ                        荷捌き室
５６ａ、５６ｂ                        常温庫
５８                                  ドックシェルタ
６０                                  防熱扉
６２                                  パレットリフタ
６６                                  骨組み
７６                                  隔壁
７８                                  プレクーラ
８０、１１６                          吸引ファン
８４                                  エアクーラ
８６                                  供給路（第１被処理空気供給路）
８８                                  供給路（第２被処理空気供給路）
９０                                  供給路（第３被処理空気供給路）
９２                                  分岐路（被処理空気分岐路）
９４、９６、１２２                    ダンパ
９８                                  温度センサ
１００                                制御装置
１０４、１０６                        戻り路
１０８                                エアヒータ
１１０                                ヒートポンプ装置
１１２                                冷媒循環路
１１４                                圧縮機
１１４ａ                            駆動モータ
１１６                                膨張弁
１１８                                外気供給路
１２０                                押込ブロア
１２４ａ、１２４ｂ                    気圧センサ
ＤＡ                                  再生用空気
ＯＡ                                  外気
ＲＡ                                  室内空気
ＳＡ                                  被処理空気
Ｔ                                    輸送トラック
【図１】
2014115022.tif 000003
【図２】
2014115022.tif 000004
【図３】
2014115022.tif 000005
【図４】
2014115022.tif 000006